(57)【要約】【課題】  よく用いる記号や絵文字について、より早く入力することができる携帯情報端末を提供することを目的とする。【解決手段】  制御部１０１は、入力部１０６によって「＊」キー６２が押下されたことを認識したか否かを判断し（Ｓ４０３）、認識した場合には、パレット表示設定がＯＮであるか否かを判断する（Ｓ４０４）。ＯＮであった場合、パレット情報記憶部１１５ｂに記憶された記号・絵文字情報が未登録であるか否かを判断し（Ｓ４０５）、未登録ではなかった場合、パレット情報記憶部１１５ｂに記録されている記号・文字を読み出して、ディスプレイ５に表示する（Ｓ４０６）。押下を認識したキーが十字キー６７の決定キーまたはソフトキー中６５であった場合は、決定キーが押下された時にディスプレイ５に表示されているカーソルの当たっていた記号・絵文字を入力文字として受け付ける。【選択図】  図１４
2006211294.tif 000002
【特許請求の範囲】
【請求項１】
記号及び絵文字情報が予め記憶されている第１のメモリと、
第１のメモリに記憶された記号または絵文字情報の一覧を表示する表示部と、
前記表示部に表示された記号及び絵文字を選択するための操作部と、
前記表示部に表示された記号または絵文字情報の一覧から一部の記号または絵文字を操作部によって選択されると、該選択された記号または絵文字の情報を第２のメモリに記憶する記憶制御手段と、
文字入力の際に前記操作部による所定の操作がなされると、第２のメモリに記憶された記号または絵文字の情報を前記表示部に表示する表示制御手段と、
表示制御手段によって表示された記号または絵文字の情報を操作部によって選択されると、該操作された記号または絵文字の入力として受け付ける入力制御手段と
を有することを特徴とする携帯情報端末。
【請求項２】
前記第１のメモリに記憶された記号または絵文字情報の一覧を前記表示部に表示する際は、複数頁から構成されていることを特徴とする請求項１に記載の携帯情報端末。
【発明の詳細な説明】
【技術分野】
【０００１】
本発明は携帯情報端末に関する。
【背景技術】
【０００２】
近年、携帯型の情報機器の進歩および普及にはめざましいものがある。特に、携帯電話機においては、操作するキーが少ないにもかかわらず、１つのキーに複数の文字を割り当てて、その複数の種別を切り替えたり、トグル方式によってキーの押下回数によって切り替えたりするなどのさまざまな方法によって、文字入力がなされている。
【０００３】
その中でも、かな文字、数字、アルファベットといった文字は、キーに直接割り当てられているため、文字入力画面において、数字キーを押下するとこれらの文字は容易に入力ができるものの、記号や絵文字に関しては記号一覧及び絵文字一覧よりユーザが入力したい文字をわざわざ一覧より選択して入力していた（例えば特許文献１）。
【特許文献１】特開２００３−１２２４８６号公報（１８頁・１９頁、図３参照）
【発明の開示】
【発明が解決しようとする課題】
【０００４】
従来の文字入力方式において、記号や絵文字を入力する際は、上述のように記号一覧及び絵文字一覧よりユーザが入力したい文字を毎回入力する毎に、わざわざ一覧よりその記号あるいは絵文字を選択して入力しなければならず、よく使用する記号や絵文字などにおいてもその都度一覧より選択しなければならず、非常に操作性が悪いものであった。
【０００５】
本発明は上記問題点を解決したものであって、よく用いる記号や絵文字について、より早く入力することができる携帯情報端末を提供することを目的とする。
【課題を解決するための手段】
【０００６】
本発明の携帯情報端末は、記号及び絵文字情報が予め記憶されている第１のメモリと、第１のメモリに記憶された記号または絵文字情報の一覧を表示する表示部と、前記表示部に表示された記号及び絵文字を選択するための操作部と、前記表示部に表示された記号または絵文字情報の一覧から一部の記号または絵文字を操作部によって選択されると、該選択された記号または絵文字の情報を第２のメモリに記憶する記憶制御手段と、文字入力の際に前記操作部による所定の操作がなされると、第２のメモリに記憶された記号または絵文字の情報を前記表示部に表示する表示制御手段と、表示制御手段によって表示された記号または絵文字の情報を操作部によって選択されると、該操作された記号または絵文字の入力として受け付ける入力制御手段とを有することを特徴とする。
【発明の効果】
【０００７】
本発明によれば、予め決められた記号や絵文字について、より早く入力することができる携帯情報端末を提供することができる。
【発明を実施するための最良の形態】
【０００８】
以下に、本発明の実施の形態を説明する。
【実施例】
【０００９】
以下に、本発明を携帯電話機に適用した場合における一つの実施の形態を、図面を用いて説明する。図１乃至図５は携帯電話機１の外観を示した図であり、また図６は携帯電話機１のブロック図を示したものである。  
まず、携帯電話機１の構造を図１乃至図５を用いて説明する。図１は、携帯電話機１を約１８０度開いた時の外観図である。図１（Ａ）は正面から見た図、図１（Ｂ）は側面から見た図である。
【００１０】
次に、図２は図１の状態から上筐体部２を携帯電話機１の開閉方向の軸Ａと垂直関係にある軸Ｂを中心に９０度回転した時の図である。図２（Ａ）は正面から見た図、図２（Ｂ）は側面から見た図である。
【００１１】
次に、図３は図２の状態から上筐体部２を携帯電話機の開閉方向の軸Ａを中心に９０度回転した時の図である。図３（Ａ）は正面から見た図、図３（Ｂ）は側面から見た図である。
【００１２】
次に、図４は携帯電話機１を閉じた時の図である。図４（Ａ）は正面から見た図、図４（Ｂ）は側面から見た図である。
【００１３】
次に、図５は図２の状態から上筐体部２を携帯電話機の開閉方向の軸Ｂを中心に９０度回転（つまり図１の状態から上筐体部２を軸Ｂを中心に１８０度回転）し、更にそこから軸Ａを中心に閉じた時の図である。図５（Ａ）は正面から見た図、図５（Ｂ）は側面から見た図である。
【００１４】
携帯電話機１は上筐体部２と下筐体部４がヒンジ部３を介して接続されており、上筐体部２にはＬＣＤなどのディスプレイ５、受信した音声を発声するレシーバ９、携帯電話機１の状態を検知するための磁気センサ１１ａ、１１ｃ、カメラ１２、及びＬＣＤなどのサブディスプレイ１３を有している。また、下筐体部４には、数字、文字、携帯電話機１の操作等を入力するためのキー６、更には携帯電話機１の操作を行うサイドキー７、集音するためのマイク（送話口）８、及び携帯電話機１の状態を検知するための磁気センサ１１ｂ、１１ｄを有している。
【００１５】
図６は、携帯電話機１の構成を簡潔に示したブロック図である。携帯電話機１の内部には、携帯電話機１全体の制御を行う制御部１０１と、ＲＡＭなどで構成される記憶部１１５と、ディスプレイ５を表示制御する第１表示制御部１０５・サブディスプレイ１３を表示制御する第２表示制御部１１３と、キー６及びサイドキー７の押下を認識する入力部１０６と、アンテナ１１７を用いて無線通信制御を行う通信部１１６とを備えており、制御部１０１によって全体が制御されている。また、マイク１０８はマイク８に対応し、スピーカ１０９はスピーカ９に対応する。
【００１６】
記憶部１１５は、制御部１０１が実行するプログラム、各種の情報データなどが保存されている。また、記憶部１１５の内部は記号・絵文字情報記憶部１１５ａ及びパレット情報記憶部１１５ｂが存在する。記号・絵文字情報記憶部１１５ａはあらかじめ決められた記号・絵文字が記憶されており、第１表示制御部１０５によって表示制御され、ディスプレイ５に表示すると、必ず決まった並び方で表示されることになっている。また、パレット情報記憶部１１５ｂは、初期状態には何も記号・絵文字情報は記憶されておらず、後に
ユーザが選択・決定した記号・絵文字が記憶され、更には第１表示制御部１０５によって
表示制御され、ディスプレイ５に表示されるべき並び順の情報も記憶される。なお、本実施例でいう「記号」とは、半角記号及び全角記号の「％」や「＆」などの記号に加え、句読点、カンマ、ピリオド、中点、括弧等、また全角記号のギリシャ文字、ロシア文字、罫線等を含むものとする。
【００１７】
第１表示制御部１０５・第２表示制御部１１３は、それぞれディスプレイ５及びサブディスプレイ１３を表示制御するものであり、制御部１０１から出力命令される表示データを表示制御する。
【００１８】
通信部１１６は、制御部１０１によって命令された情報を、無線通信によって送信したり、メールサーバより無線通信によって送られた情報を受信したりする機能を有する。また、電話機能による通話の際も、通信部１１６を通じて通話が行われる。
【００１９】
入力部１０６は、キー６及びサイドキー７の押下を認識するものであって、数字キーや文字キー、メール編集の決定・中止などのファンクションキーを含む複数のキーの押下を
それぞれ認識することができ、利用者が入力操作したキー６の入力に応じて、キーを識別する識別信号を制御部１０１へ通知し、制御部１０１がその動作を開始する。
【００２０】
図７は、本発明のディスプレイ５の表示例、およびキー６の配置の一例を示した図であり、図７（Ａ）はディスプレイ５の表示例、図７（Ｂ）はキー６の配置の一例である。図７（Ａ）に示されるように、携帯電話機１のディスプレイ５には、一番上の行（以下上ピクト行とする）には、現在のアンテナ１１７の感度のレベルを示したアンテナピクト５１と、携帯電話機１の現在の電池残量を示した電池ピクト５２と、現在の時刻を表示する時刻表示５３とが表示されている。さらに、携帯電話機１のディスプレイ５の一番下の行（以下下ピクト行とする）には、現在表示されている機能において、ソフトキー左６４・ソフトキー中６５・ソフトキー右６６を押下すると実行される機能の簡単な説明が、それぞれソフトキー左６４については左下ピクト５４、ソフトキー中６５については中下ピクト５５、ソフトキー右６６については右下ピクト５６になされている。たとえば、図７（Ａ）のような表示がなされている場合、ソフトキー左６４を押下すると、「戻る」という機能が実行され、ソフトキー中６５を押下すると、図示していないが、現在フォーカスが当たっている機能を選択することができる。また、ソフトキー右６６を押下すると、「サブメニュー」が表示される。なお、ソフトキー中６５の操作は十字キー６７の真ん中にある決定キーにおいても行うことができる。
【００２１】
図７（Ｂ）に示されるように、下筐体４には、キー６として、数字キー６１、「＊」キー６２、「＃」キー６３、ソフトキー左６４、ソフトキー中６５、ソフトキー右６６、十字キー６７、メールキー６８、ブラウザキー６９、通話キー７０、電源キー７１、及びクリアキー７２を有する。数字キー６１は、数字のほかに、かな文字、記号文字、アルファベット等が割り当てられており、例えば、「１」のキーには、数字「１」、「あ」「い」「う」「え」「お」のかな文字、及び「．」「＠」の記号が割り当てられており、「２」のキーには、数字「２」、「か」「き」「く」「け」「こ」のかな文字、及び「Ａ」「Ｂ」「Ｃ」「ａ」「ｂ」「ｃ」などのアルファベットが割り当てられている。また、「＊」キー６２には、「＊」が割り当てられており、更に文字入力状態において記号一覧、絵文字一覧、及びパレット情報記憶部１１５ｂに記憶された記号・絵文字一覧（以下パレットという）を呼び出すことができる。記号一覧、絵文字一覧及びパレットについての詳細については後述する。また、「＃」キー６３には、「＃」が割り当てられており、更に文字入力状態において、数字キー６１による文字入力のトグルを逆にすることができる。
【００２２】
十字キー６７は、当てられたカーソルを上下左右方向に移動することができることに加え、真ん中にある部分（以下決定キーと呼ぶ）を押下すると、さまざまな機能を確定することができる。また、メールキー６８はメールの送受信機能を呼び出すことができる。また、ブラウザキーは、Ｗｅｂなどに接続することができる。
【００２３】
通話キー７０は、電話を受ける際や、発信する際に用いるためのキーであり、電源キー７１は、電源のＯＮ・ＯＦＦ、終話の際、及び機能、編集を終了する際に用いる。更に、クリアキー７２は、機能・編集をクリアする際、及び文字入力の際に文字を消去する際に用いる。また、クリアキー７２は待ち受け画面において押下すると、メモ帳を呼び出すことができる。
【００２４】
次に、携帯電話機１において、文字入力を行う際に、パレットの登録方法、及びパレットを用いて、記号・絵文字入力を行う場合について図面を用いて説明する。
【００２５】
（パレット手動登録）
まず、文字入力を行う際に、予めユーザが定めた順序で記号・絵文字が並べられている
パレットの登録について説明する。図１２は、パレットの登録を手動で行う際のフローチャートである。
【００２６】
まず、パレットの手動による登録は、所定の操作によって、メニュー画面のパレット手動登録画面を呼び出すか、文字入力画面において、ソフトキー右６６を押下することによってサブメニューを呼び出し、それより登録画面を呼び出すことができる。まず、メニュー画面または、文字入力画面を呼び出す操作がなされたかを判断する（ステップＳ２０１）。そして、メニュー画面または、文字入力画面を呼び出す操作がなされた場合（ステップＳ２０１のＹｅｓ）、パレット登録画面を呼び出す操作がなされたか否かを判断する（ステップＳ２０２）。そして、パレット登録画面を呼び出す操作がなされた場合（ステップＳ２０２のＹｅｓ）、制御部１０１は、記憶部１１５内のパレット情報記憶部１１５ｂに記号・絵文字が登録されているか否かを判断する（ステップＳ２０３）。そして、パレ
ット情報記憶部１１５ｂに記号・絵文字が登録されてなかった場合は（ステップＳ２０３
のＮｏ）、ステップＳ２０６へ移行する。また、パレット情報記憶部１１５ｂに記号・絵
文字が登録されていた場合は（ステップＳ２０３のＹｅｓ）、現在パレット情報記憶部１１５ｂに登録されている記号・絵文字を読み出して、ディスプレイ５に表示する（ステッ
プＳ２０４）。
【００２７】
その後、決定キーが押下されたか否かを判断し（ステップＳ２０５）、決定キーが押下された場合（ステップＳ２０５のＹｅｓ）、パレット登録画面がディスプレイ５に表示され、パレット情報記憶部１１５ｂに登録可能な状態となる（ステップＳ２０６）。この、パレット登録画面とは、例えば、図８（Ａ）のような画面であって、現在パレットに登録されている記号・絵文字がある、つまりパレット情報記憶部１１５ｂに記号・絵文字が記憶されていれば、順番に並べられて表示される。なお、図８（Ａ）はパレットに全く記号・
絵文字が登録されていない初期状態の場合の表示例である。
【００２８】
次に、登録画面が表示された後、実際にパレットによく使用する記号・絵文字を登録す
る（ステップＳ２０７）。登録方法としては、まず、図８（Ａ）の「＊」キーを押下すると記号一覧が呼び出されるという案内表示７３が表示されているように、「＊」キー６２を押下すると、記号・絵文字一覧が記号・絵文字情報記憶部１１５ａより呼び出され、ディスプレイ５に表示される。「＊」キー６２を一度押下すると記号一覧が表示され、更に記号一覧は複数頁にわたって存在するため、そのページの切り替えはブラウザキー６９または、メールキー６８によって切り替えることができる。図８（Ｂ）は図８（Ａ）の状態より「＊」キー６２を一度押下した場合に記号一覧が呼び出されたときのディスプレイ５の表示例である。図８（Ｂ）の丸付き文字１〜丸付き文字１８が付された欄にはそれぞれ図１１（Ｂ）の表に対応する記号が表示されており、アラビア文字１〜アラビア文字９が付された欄は過去に記号一覧の全ての頁から選択された履歴が新しい順番にアラビア文字１が付された欄から順に表示されている。また、「＊」キー６２を再度押下すると、絵文字一覧が呼び出すことができる案内表示７４、現在全角の文字が表示されている旨を示す案内表示７５、記号一覧が１３頁あるうちの現在２頁目が表示されていることを示す案内表示７６、及びあといくつ全角文字でパレットに登録できるかを示す文字数の案内表示７９が表示されている。また、カーソルが丸付き文字１の記号に初期状態として当てられている。なお、文字数の案内表示７９は全角文字の残り文字数に限定されることなく、残り入力可能バイト数を表示してもよい。
【００２９】
また、図８（Ｂ）のように表示されている状態で、再度「＊」キー６２が押下されると、絵文字一覧が表示され、図８（Ｃ）のような状態となる。図８（Ｃ）は絵文字一覧が呼び出されたときの表示例である。図８（Ｃ）の丸付き文字１〜丸付き文字１８が付された欄にはそれぞれ図１１（Ａ）の表に対応する絵文字が表示されており、アラビア文字１〜アラビア文字９が付された欄は過去に絵文字一覧の全ての頁から選択された履歴が新しい順番にアラビア文字１の欄から順に表示されている。また、絵文字一覧は複数頁にわたって存在するため、そのページの切り替えはブラウザキー６９または、メールキー６８によって切り替えることができる。また、現在絵文字が表示されている旨を示す案内表示７７、絵文字一覧が１３頁あるうちの現在５頁目が表示されていることを示す案内表示７８、及びあといくつ全角文字でパレットに登録できるかを示す文字数の案内表示７９が表示されている。また、カーソルが丸付き文字１の絵文字に初期状態として当てられる。なお、文字数の案内表示７９は全角文字の残り文字数に限定されることなく、残り入力可能バイト数を表示してもよい。
【００３０】
図８（Ｂ）または図８（Ｃ）のように表示されている状態で、登録したい記号・絵文字に十字キー６７によってカーソルを合わせて、決定キーを押下すると、カーソルの当てられた記号・絵文字がパレットに登録され、パレット情報記憶部１１５ｂにその記号・絵文字の情報と表示される位置または順序が記憶される。その後は図９（Ａ）のような表示状態になり、登録した文字が表示される。図９（Ａ）は丸付き文字１に対応する記号が登録されたディスプレイ５の表示状態の一例を示している。また、図８（Ｂ）または図８（Ｃ）のように表示されている状態で、登録したい記号・絵文字に十字キー６７によってカーソルを合わせて、ソフトキー右６６を押下すると、連続して記号・絵文字が入力できる状態となり、１つの記号・絵文字が入力された場合でも一覧は表示されたままの状態となり、図９（Ｂ）のような表示状態となる。図９（Ｂ）は丸付き文字１及び丸付き文字５に相当する記号をソフトキー右６６の押下によってパレットに登録した直後の表示状態を示している。また、パレット登録後も、登録を抹消したい記号・絵文字にカーソルを合わせ、クリアキー７２を押下すると、その記号・絵文字が抹消される。また、パレットには、記号と絵文字を混合して登録することも可能であるし、図１１（Ｄ）の丸付き文字３乃至丸付き文字５に示すように、複数の記号を１セットとして登録することもできる。図１１（Ｄ）の丸付き文字３乃至丸付き文字５に示されるものは「(^-^)」の記号を１セットとし
て登録された場合を指す。なお、この記号をセット記号と呼び、「記号」の一種とみなす。また、セット記号が十字キー６７によって選択される場合は、例えば、図９（Ｃ）に示すように、１セット全ての記号にフォーカスが当たるものとする。なお、登録の際にすでにパレットに記憶されている記号・絵文字を再度登録するのは無意味であるため、パレット情報記憶部１１５ｂに登録する際に、すでにパレット情報記憶部１１５ｂに記憶されている記号・絵文字情報が存在する場合は、重複登録である旨の表示をディスプレイ５にするように制御してもよい。
【００３１】
その後、記号・絵文字登録が終了されたか否かを判断し（ステップＳ２０８）、登録終了の操作がなされた場合には（ステップＳ２０８のＹｅｓ）、登録を終了する。また、登録終了操作がなされない場合は再度ステップＳ２０７に戻る。このようにパレットに手動で記号・絵文字を登録することができる。
【００３２】
（パレット自動登録）
次に、パレットの自動登録について説明する。図１３は、パレットの登録を自動で行う際のフローチャートを示したものである。パレットの自動による登録は、文字入力の際に記号・絵文字を入力した場合に、その記号・絵文字を自動的にパレットに登録、つまりパレット情報記憶部１１５ｂ記憶していくものである。まず、携帯電話機１に搭載された機能の文字入力画面が呼び出されたか否かを判断する（ステップＳ３０１）。例えば、待ち受け画面において、メールキー６８、数字キー６１、十字キー６７を操作してメール本文作成画面を呼び出されたり、クリアキー７２、数字キー６１、十字キー６７を操作してメモ帳記入画面を呼び出されたりした場合などを指す。
【００３３】
そして、文字入力画面を呼び出す操作がなされた場合（ステップＳ３０１のＹｅｓ）、次に、制御部１０１は、文字入力を終了する操作が入力部６によって認識されたか否かを判断する（ステップＳ３０２）。そして、文字入力を終了する操作の認識が入力部１０６によってなされた場合（ステップＳ３０２のＹｅｓ）、自動登録を終了する。また、文字入力終了操作が認識されていない場合（ステップＳ３０２のＮｏ）、制御部１０１は、入力部１０６によって記号・絵文字の入力操作の認識がなされたか否かを判断する（ステップＳ３０３）。なお、記号・絵文字の入力方法はパレット手動入力のステップＳ２０７において説明した入力方法と同じであるため、その説明を省略する。そして、入力部１０６によって記号・絵文字の入力操作の認識がなされていなかった場合は（ステップＳ３０３のＮｏ）、ステップＳ３０２へ戻る。また、入力部１０６によって記号・絵文字の入力の認識がなされた場合には（ステップＳ３０３のＹｅｓ）、制御部１０１は、パレットの自動登録がＯＮになっているか否かを判断する（ステップＳ３０４）。ここでパレットの自動登録のＯＮ・ＯＦＦは、後に説明するパレット表示設定のＯＮ・ＯＦＦに連動している。即ち、パレット表示設定をＯＮに設定していた場合に、文字入力の際に「＊」キー６２を押下するとパレットが表示されるように設定されるが、その際に自動登録もＯＮに設定される。パレット表示設定をＯＦＦに設定していた場合は、文字入力の際に「＊」キー６２を押下しても、パレットは表示されず、記号一覧が表示されるが、自動登録もＯＦＦに設定される。パレット表示設定のＯＮ・ＯＦＦは、予め図示しない機能設定画面より設定することができる。また、パレットの自動登録がＯＮに予め設定されていたとしても、パレット登録上限数を超えた場合には自動的にパレット自動登録はＯＦＦになる。なお、パレット自動登録がパレットの登録上限数を超えることによってＯＦＦになった場合で、登録されていた記号・絵文字を消去した場合には、再度自動登録をＯＮに自動的に設定される。また、パレット自動登録はパレット表示設定に連動してＯＮ・ＯＦＦすることに限定されず、各々ＯＮ・ＯＦＦを設定できるようにしても良い。また、パレット表示設定ＯＮ・ＯＦＦの情報、パレット自動登録ＯＮ・ＯＦＦの情報は、記憶部３内に記憶されている（図示しない）。
【００３４】
ステップＳ３０４において、自動登録がＯＮになっていると判断された場合（ステップＳ３０４のＹｅｓ）、制御部１０１は、パレット情報記憶部１１５ｂに記録されている記号・文字が所定の登録数を超えているか否かを判断する（ステップＳ３０５）。そして、パレット情報記憶部１１５ｂに記録されている所定の登録数を超えていた場合は（ステップＳ３０５のＮｏ）、ステップＳ３０２に戻る。また、パレット情報記憶部１１５ｂに記録されている所定の登録数を超えていなかった場合には（ステップＳ３０５のＹｅｓ）、制御部１０１は、入力された記号・絵文字がパレット情報記憶部１１５ｂに記憶されているものと同じものがあるか否かを判断する（ステップＳ３０６）。
【００３５】
そして、ステップＳ３０６において、入力された記号・絵文字と同じものがあると判断された場合（ステップＳ３０６のＹｅｓ）、制御部１０１は、自動登録がＯＮになっていてもパレット情報記憶部１１５ｂに登録しない（ステップＳ３０７ａ）。逆に、入力された記号・絵文字と同じものがなかった場合は、制御部１０１は、パレット情報記憶部１１５ｂに入力された記号・絵文字を記憶する（ステップＳ３０７ｂ）。なお、その記憶された記号・絵文字が表示されたときに並ぶ順序が、登録される前の記号・絵文字の後に付け加える状態となるような情報を付加する。なお、ステップＳ３０６において、入力された記号・絵文字がパレット情報記憶部１１５ｂに記憶されているものと同じものがあるか否かを判断しているが、これに変えて、入力された記号・絵文字に関して入力回数情報を記憶部１１５に記憶し、入力された記号・絵文字の入力回数情報が所定回数以上を超えたか否かを判断するようにし、所定回数を超えない場合はステップＳ３０７ａに進み、入力された記号・絵文字を登録せず、逆に、所定回数を超えた場合は、ステップＳ３０７ｂへ進み、入力された記号・絵文字を登録するようにしてもよい。
【００３６】
（パレットからの記号・絵文字入力）
次に、パレットからの記号・絵文字入力について説明する。図１４・図１５は、パレットからの記号・絵文字入力を行う際のフローチャートを示したものである。
【００３７】
まず、携帯電話機１に搭載された機能の文字入力画面が呼び出されたか否かを判断する（ステップＳ４０１）。例えば、待ち受け画面において、メールキー６８、数字キー６１、十字キー６７を操作してメール本文作成画面を呼び出されたり、クリアキー７２、数字キー６１、十字キー６７を操作してメモ帳記入画面を呼び出されたりした場合を指す。そして、文字入力画面を呼び出す操作がなされた場合（ステップＳ４０１のＹｅｓ）、次に、制御部１０１は、キー６を用いて文字入力を終了する操作を入力部１０６によって認識したか否かを判断する（ステップＳ４０２）。そして、入力部１０６が文字入力を終了する操作を認識した場合（ステップＳ４０２のＹｅｓ）、文字入力を終了する。また、文字入力終了操作がなされていない場合（ステップＳ４０２のＮｏ）、制御部１０１は、入力部１０６によって「＊」キー６２が押下されたことを認識したか否かを判断する（ステップＳ４０３）。そして、「＊」キー６２が押下されたことを認識しなかった場合は（ステップＳ４０３のＮｏ）、ステップＳ４０２へ戻る。また、「＊」キーが押下されたことを認識した場合には（ステップＳ４０３のＹｅｓ）、制御部１０１は、記憶部３に記憶されたパレット表示設定のＯＮ・ＯＦＦの設定情報をもとに、パレット表示設定がＯＮに設定されているか否かを判断する（ステップＳ４０４）。
【００３８】
ステップＳ４０４において、パレット表示設定がＯＦＦに設定されていた場合（ステップＳ４０４のＮｏ）、ステップＳ４０８ｃへ移行する。また、ステップＳ４０４において、パレット表示設定がＯＮであった場合（ステップＳ４０４のＹｅｓ）、制御部１０１は、パレット情報記憶部１１５ｂに記憶された記号・絵文字情報が未登録であるか否かを判断する（ステップＳ４０５）。
【００３９】
ステップＳ４０５において、パレット情報記憶部１１５ｂに記憶された記号・絵文字情報が未登録であった場合（ステップＳ４０５のＹｅｓ）、ステップＳ４０８ｃへ移行する。また、ステップＳ４０５において、パレット情報記憶部１１５ｂに記憶された記号・絵文字情報が未登録ではなかった場合（ステップＳ４０５のＮｏ）、制御部１０１は、パレット情報記憶部１１５ｂに記録されている記号・文字を読み出して、第１表示制御部１０５にディスプレイ５に表示するように表示制御をさせる（ステップＳ４０６）。その際のディスプレイ５の表示の一例を図１０（Ａ）に示す。図１０（Ａ）の丸付き文字１〜丸付き文字１８が付された欄にはそれぞれ図１１（Ｃ）の表に対応する記号が表示されており、アラビア文字１〜アラビア文字９が付された欄は過去に記号一覧の全ての頁から選択された履歴が新しい順番にアラビア文字１から順に表示されている。また、「＊」キー６２を再度押下すると、記号一覧が呼び出すことができる案内表示８０と、現在パレット情報記憶部１１５ｂに記憶されている記号・絵文字が表示されている旨を示す案内表示８１とが表示されている。また、カーソルが丸付き文字１の記号に初期状態として当てられる。
【００４０】
図１０（Ａ）のようにパレットが表示された後は、十字キー６７によってカーソルを移動することができる。なお、カーソルの横方向の移動は、カーソルに限定されることなく、丸付き文字１乃至丸付き文字９が数字キーの「１」乃至「９」に対応付けられており、数字キー６１を押下することによってカーソルの横方向の位置を移動することもできる。
【００４１】
次に、制御部１０１は、入力部１０６によってキー６の押下を認識したか否か判断し、更にどのキーの押下を認識したかを判断する（ステップＳ４０７）。そして、押下を認識したキーが十字キー６７の決定キーまたはソフトキー中６５であった場合は、決定キーが押下された時にディスプレイ５に表示されているカーソルの当たっていた記号・絵文字を入力文字とし、図１０（Ｃ）に示されたように表示されていたパレットを閉じて入力された文字を表示する。更にステップＳ４０２に戻る（ステップＳ４０８ａ）。また、押下されたキーがソフトキー右６６であると認識した場合は、ソフトキー右６６が押下された際にディスプレイ５に表示されているカーソルの当たっていた記号・絵文字を入力文字として受付け、図１０（Ｂ）に示されたようにパレットを表示したまま、記号・絵文字を入力文字として受け付ける。更に、ステップＳ４０６に戻る（ステップＳ４０８ｂ）。そして、押下されたキーが「＊」キー６２であると認識した場合、制御部１０１は記号一覧を記号・絵文字情報記憶部１１５ａより呼び出し、第１表示制御部１０５によってパレットをディスプレイ５に表示するように制御する（ステップＳ４０８ｃ）。また、ソフトキー左６４が押下されたことを認識した場合には、ステップＳ４０２に戻る。また、「＊」キー６２、ソフトキー右６６、ソフトキー左６４、決定キー・ソフトキー中６５以外のキーの押下を認識した場合、ステップＳ４０６に戻る。
【００４２】
次に、ステップＳ４０８ｃにおいて、記号一覧がディスプレイ５によって表示された後、押下されたキーがあるか判断し、押下された場合にはどのキーが押下されたかを判断する（ステップＳ４０９）。そして、押下されたキーが十字キー６７の決定キーまたはソフトキー中６５であった場合は、決定キーが押下された際にディスプレイ５に表示されているカーソルの当たっていた記号を入力文字として受け付け、表示されていたパレット一覧を閉じて入力された記号を表示する。更にステップＳ４０２に戻る（ステップＳ４１０ａ）。また、押下されたキーがソフトキー右６６であった場合は、ソフトキー右６６が押下された際にディスプレイ５に表示されているカーソルの当たっていた記号を入力文字として受け付け、パレットを表示したまま、記号を入力文字として受け付ける。更に、ステップＳ４０８ｃに戻る（ステップＳ４１０ｂ）。そして、押下されたキーが「＊」キー６２であった場合、制御部１０１は絵文字一覧を記号・絵文字情報記憶部１１５ａより呼び出し、第１表示制御部１０５によってディスプレイ５に表示するように制御する（ステップＳ４１０ｃ）。また、ソフトキー左６４が押下された場合には、ステップＳ４０２に戻る。また、「＊」キー６２、ソフトキー右６６、ソフトキー左６４、決定キー・ソフトキー中６５以外のキーが押下された場合、ステップＳ４０８ｃに戻る。
【００４３】
次に、ステップＳ４１０ｃにおいて、絵文字一覧がディスプレイ５によって表示された後、押下されたキーがあるか判断し、押下された場合にはどのキーが押下されたかを判断する（ステップＳ４１１）。そして、押下されたキーが十字キー６７の決定キーまたはソフトキー中６５であった場合は、決定キーが押下された際にディスプレイ５に表示されているカーソルの当たっていた絵文字を入力文字として受け付け、表示されていたパレットを閉じて入力された文字を表示する。更にステップＳ４０２に戻る（ステップＳ４１２ａ）。また、押下されたキーがソフトキー右６６であった場合は、ソフトキー右６６が押下された際にディスプレイ５に表示されているカーソルの当たっていた絵文字を入力文字として受け付け、パレットを表示したまま、絵文字を入力文字として受け付ける。更に、ステップＳ４１０ｃに戻る（ステップＳ４１２ｂ）。そして、押下されたキーが「＊」キー６２であった場合、ステップＳ４０６に戻る。また、ソフトキー左６４が押下された場合には、ステップＳ４０２に戻る。また、「＊」キー６２、ソフトキー右６６、ソフトキー左６４、決定キー・ソフトキー中６５以外のキーが押下された場合、ステップＳ４１０ｃに戻る。
【００４４】
以上のように、本実施例において、予めパレット情報記憶部１１５ｂにユーザがよく使用する記号・絵文字を登録しておき、それを呼び出すことによって容易に入力することができるため、従来の記号・絵文字入力よりも迅速に入力することができる。
【００４５】
なお、本発明は、この実施例に限定されるものではない。例えば、本文入力画面において、本実施例では「＊」キー６２を押下するとパレットを呼び出すことができたが、他のキーを用いて呼び出すことにしてもよい。また、図８乃至図１０に示された画面表示の例も本画面表示に限定されない。
【図面の簡単な説明】
【００４６】
【図１】携帯電話機１を１８０度開いたときの構造を示した図。
【図２】携帯電話機１の上筐体部２を９０度回転したときの構造を示した図。
【図３】携帯電話機１の上筐体部２を図２の状態より更に９０度回転したときの構造を示した図。
【図４】携帯電話機１を閉じたときの構造を示した図。
【図５】携帯電話機１を図３の状態より閉じたときの構造を示した図。
【図６】携帯電話機１の構成を簡潔に示したブロック図。
【図７】携帯電話機１のディスプレイ５及び下筐体部４のキー６の配置の一例を示した図。
【図８】パレットを手動で登録する際にディスプレイ５に表示される一例を示した図。
【図９】パレットを手動で登録する際のディスプレイ５の表示の一例を示した図。
【図１０】パレットを用いて記号・絵文字を入力する際のディスプレイの表示の一例を示した図。
【図１１】記号一覧・絵文字・パレットをディスプレイに表示した際に示される記号・文字の一例を示した図。
【図１２】パレットを手動で登録する際のフローチャート。
【図１３】パレットを自動で登録する際のフローチャート。
【図１４】パレットを用いて記号・絵文字を入力する際のフローチャート。
【図１５】パレットを用いて記号・絵文字を入力する際のフローチャート。
【符号の説明】
【００４７】
１  携帯電話機
２  上筐体部
３  ヒンジ部
４  下筐体部
５  ディスプレイ
６  キー
７  サイドキー
８  マイク（送話口）
９  レシーバ（受話口）
１１ａ、１１ｂ、１１ｃ、１１ｄ  磁気センサ
１２  カメラ
１３  サブディスプレイ
５１  アンテナピクト
５２  電池ピクト
５３  時刻表示
５４  左下ピクト
５５  中下ピクト
５６  右下ピクト
６１  数字キー
６２  「＊」キー
６３  「＃」キー
６４  ソフトキー左
６５  ソフトキー中
６６  ソフトキー右
６７  十字キー
６８  メールキー
６９  ブラウザキー
７０  通話キー
７１  電源キー
７２  クリアキー
１０１  制御部
１０５  第１表示制御部
１０６  入力部
１０８  マイク
１０９  スピーカ
１１２  カメラ
１１３  第２表示制御部
１１５  記憶部
１１６  通信部
１１７  アンテナ
【図１】
2006211294.tif 000003
【図２】
2006211294.tif 000004
【図３】
2006211294.tif 000005
【図４】
2006211294.tif 000006
【図５】
2006211294.tif 000007
【図６】
2006211294.tif 000008
【図７】
2006211294.tif 000009
【図８】
2006211294.tif 000010
【図９】
2006211294.tif 000011
【図１０】
2006211294.tif 000012
【図１１】
2006211294.tif 000013
【図１２】
2006211294.tif 000014
【図１３】
2006211294.tif 000015
【図１４】
2006211294.tif 000016
【図１５】
2006211294.tif 000017
【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
記号及び絵文字情報が予め記憶されている第１のメモリと、
第１のメモリに記憶された記号または絵文字情報の一覧を表示する表示部と、
前記表示部に表示された記号及び絵文字を選択するための操作部と、
前記表示部に表示された記号または絵文字情報の一覧から記号または絵文字を操作部によって選択されると、該選択された記号または絵文字の情報を第２のメモリに記憶する記憶制御手段と、
文字入力の際に前記操作部による所定の操作がなされると、第２のメモリに記憶された記号または絵文字の情報を前記表示部に表示する表示制御手段と、
表示制御手段によって表示された記号または絵文字の情報を操作部によって選択されると、該操作された記号または絵文字の入力として受け付ける入力制御手段と
を有することを特徴とする携帯情報端末。
【請求項２】
前記第１のメモリに記憶された記号または絵文字情報の一覧を前記表示部に表示する際は、複数頁から構成されていることを特徴とする請求項１に記載の携帯情報端末。
【請求項３】
記号及び絵文字情報が予め記憶されている第１のメモリと、
第１のメモリに記憶された記号または絵文字情報の一覧を表示する表示部と、
前記表示部に表示された記号及び絵文字を選択するための操作部と、
記号及び絵文字情報と表示される位置の情報とを関連付けて記憶される第２のメモリと、
前記表示部に表示された記号または絵文字情報の一覧から記号または絵文字を操作部によって選択されると、該選択された記号または絵文字の情報を第２のメモリに記憶する記憶制御手段と、
文字入力の際に前記操作部による所定の操作がなされると、第２のメモリに記憶された記号または絵文字の情報を前記位置の情報に基づいて前記表示部に表示する表示制御手段と、
表示制御手段によって表示された記号または絵文字の情報を操作部によって選択されると、該操作された記号または絵文字の入力として受け付ける入力制御手段と
を有することを特徴とする携帯情報端末。
【請求項４】
前記表示制御手段は、
更に第２のメモリに記憶された記号または絵文字の情報を表示する際、前記操作部によって過去に選択された記号または絵文字の履歴を表示するように制御することを特徴とする請求項１乃至３のいずれか１項に記載の携帯情報端末。
【手続補正２】
【補正対象書類名】明細書
【補正対象項目名】０００６
【補正方法】変更
【補正の内容】
【０００６】
本発明の携帯情報端末は、記号及び絵文字情報が予め記憶されている第１のメモリと、第１のメモリに記憶された記号または絵文字情報の一覧を表示する表示部と、前記表示部に表示された記号及び絵文字を選択するための操作部と、前記表示部に表示された記号または絵文字情報の一覧から記号または絵文字を操作部によって選択されると、該選択された記号または絵文字の情報を第２のメモリに記憶する記憶制御手段と、文字入力の際に前記操作部による所定の操作がなされると、第２のメモリに記憶された記号または絵文字の情報を前記表示部に表示する表示制御手段と、表示制御手段によって表示された記号または絵文字の情報を操作部によって選択されると、該操作された記号または絵文字の入力として受け付ける入力制御手段とを有することを特徴とする。